(57)【要約】      （修正有）【課題】コイル型の電磁誘導式充電用電気装置を提供する。【解決手段】分離形の電気機械本体１と充電本体２を備え、電気機械本体１は、第一筐体１１と、第一筐体１１に内設される第一充電回路基板１２と、充電式電池１３と、負荷１４、及び第一充電回路基板１２に連接される第一コイル１５を備え、充電本体２は、第二筐体２１と、第二筐体２１に内設される第二充電回路基板２２と、第二充電回路基板２２に連接される第二コイル２３、及び第二筐体２１に設けられる充電プラグ２４を備え、並びに、第二筐体２１には第一筐体１１の外部に周接されるリング状周接部２１１が設けられ、第二コイル２３はリング状周接部２１１の中に設けられ、且つ電気機械本体１と充電本体２と周接された後で第一コイル１５がちょうど第二コイル２３の中に位置する。２つのコイルで電磁誘導方式によって電子電気装置の電池に電力を供給することで、電子電気製品の体積及び銅線の使用量の減少につながり、製造コストが低減する。【選択図】図３
0003194979.tif 000002
【実用新案登録請求の範囲】
【請求項１】
分離形の電気機械本体と充電本体を備え、前記電気機械本体は、第一筐体と、当該第一筐体に内設される第一充電回路基板と、充電式電池と、負荷、及び当該第一充電回路基板に連接される第一コイルを備え、前記充電本体は、第二筐体と、当該第二筐体に内設される第二充電回路基板と、当該第二充電回路基板に連接される第二コイル、及び当該第二筐体に設けられる充電プラグを備え、並びに、当該第二筐体には当該第一筐体の外部に周接されるリング状周接部が設けられ、前記第二コイルは当該リング状周接部の中に設けられ、且つ当該電気機械本体と当該充電本体と周接された後で前記第一コイルがちょうど当該第二コイルの中に位置することを特徴とするコイル型の電磁誘導式充電用電気設備。
【考案の詳細な説明】
【技術分野】
【０００１】
本考案は電子電気機器に関し、特に特にコイル型の電磁誘導式充電用電気装置に関するものである。
【背景技術】
【０００２】
従来の小型電子装置は例えば、懐中電灯や電気カミソリなどがあるが、充電可能な構造のデザインである。その充電方式といえば、電源コードと電源プラグを使用するもの、又は充電プラグがそのまま電子電気機器に設けられるものがよく見られる。前者の場合に電源端子に変圧器構造を設ける必要があるので、体積は大きくて使われる銅線が多い。また、後者の場合に、電子電気機器の中に変圧器構造を設ける必要もあるので、機器本体の体積が増加し、使われる銅線も多い。
【考案の概要】
【考案が解決しようとする課題】
【０００３】
従来の充電方式での電子電気機器では、体積が大きくて製造コストが高い。
【０００４】
本考案は、コイル型の電磁誘導式充電用電気装置を提供することを目的とする。
【課題を解決するための手段】
【０００５】
本考案のコイル型の電磁誘導式充電用電気装置は分離形の電気機械本体と充電本体を備え、前記電気機械本体は、第一筐体と、当該第一筐体に内設される第一充電回路基板と、充電式電池と、負荷、及び当該第一充電回路基板に連接される第一コイルを備え、前記充電本体は、第二筐体と、当該第二筐体に内設される第二充電回路基板と、当該第二充電回路基板に連接される第二コイル、及び当該第二筐体に設けられる充電プラグを備え、並びに、当該第二筐体には当該第一筐体の外部に周接されるリング状周接部が設けられ、前記第二コイルは当該リング状周接部の中に設けられ、且つ当該電気機械本体と当該充電本体と周接された後で前記第一コイルがちょうど当該第二コイルの中に位置することを要旨とする。
【考案の効果】
【０００６】
本考案では、2つのコイルで電磁誘導方式によって電子電気装置の電池に電力を供給することで、電子電気製品の体積及び銅線の使用量の減少につながり、製造コストが低減する。
【図面の簡単な説明】
【０００７】
【図１】本考案の好ましい実施の形態に係る電気機械本体の構造を示す分解図
【図２】本考案の好ましい実施の形態に係る充電本体の構造を示す分解図
【図３】図1及び図2に示す本考案の構造を組合わせた構造を示す説明図
【図４】本考案に係る原理を説明するブロック図
【考案を実施するための形態】
【０００８】
以下、本考案の好ましい実施の形態及び図面を以って、詳しく説明する。
【０００９】
図1乃至図3に示すように、本考案のコイル型の電磁誘導式充電用電気装置は分離形の電気機械本体1と充電本体2を備え、前記電気機械本体1は、第一筐体11と、当該第一筐体11に内設される第一充電回路基板12と、充電式電池13と、負荷14、及び当該第一充電回路基板12に連接される第一コイル15を備え、前記充電本体2は、第二筐体21と、当該第二筐体21に内設される第二充電回路基板22と、当該第二充電回路基板22に連接される第二コイル23、及び当該第二筐体21に設けられる充電プラグ24を備え、並びに、当該第二筐体21には当該第一筐体11の外部に周接されるリング状周接部211が設けられ、前記第二コイル23は当該リング状周接部211の中に設けられ、且つ当該電気機械本体1と当該充電本体2と周接された後で前記第一コイル15がちょうど当該第二コイル23の中に位置することを要旨とする。
【００１０】
また、当該充電プラグ24が充電用電源と連接された後で、当該充電本体2の第二充電回路基板22が働き、且つ充電電流が当該第二コイル23を通すことで、電磁誘導方式で当該電気機械本体1の当該第一コイル15に誘導電流を発生させる。従って、当該誘導電流が当該第一充電回路基板12を通して前記充電電池13を充電させることで、前記負荷14に電力を供給する。そこで、本考案では、2つのコイルで電磁誘導方式によって電子電気装置の電池に電力を供給するので、充電ユニットに使用されるコイルの体積が減少することで、電子電気製品の体積及び銅線の使用量の減少につながり、製造コストが低減する。
【００１１】
図4に示すように、本考案では、充電出力端子としての前記第二充電回路基板22には出力周波数を高めるための高周波数誘導出力回路が採用されており、且つ充電入力端子としての前記第一充電回路基板12には電磁誘導方式の充電機能を実現するために、共振による入力方式が採用されている。
【００１２】
本考案では、前記電気機械本体1と前記充電本体2との分離形構造を採用することで、充電する際の周接方式が使いやすく、充電しない際には、当該充電本体2を当該電気機械本体1から取外せるので、当該電気機械本体1の通常使用に影響がない。
【００１３】
また、図面に示したのは本考案の好ましい実施の形態に過ぎず、前期負荷14は小型モーターや小形電球などでもよくて、従って小型扇風機や電気剃刀やテーブルランプやヘッドランプ等の小型電気装置が構成される。そして、前記電気機械本体1には更にスイッチ、インジケータ及び負荷を固定するため部品などの共通コンポーネントを設けられるが、これ以上は述べないことにする。
【００１４】
以上の説明から明らかにするように、本考案のコイル型の電磁誘導式充電用電気装置は体積が小さくてコストが低いので、小型又はミニサイズの電磁誘導充電式装置製品の製造は可能であり、使い勝手が良い。
【００１５】
また、上述では本考案の好ましい実施例を開示したに過ぎず、それを以って、本考案の実用新案登録請求の範囲が制限されることは無く、本考案の思想を逸脱することなく本考案の技術案に対する改造やそれと同じ置き換えを行っても、それはすべて本考案の範囲に含まれるものである。
【図１】
0003194979.tif 000003
【図２】
0003194979.tif 000004
0003194979.tif 000005
【図３】
0003194979.tif 000006
【図４】
0003194979.tif 000007